(57)【要約】  本発明は、詳細には、Ｕ字形断面を有し、Ｕ字形のアームを形成する２つのサイドポスト（３）およびＵ字形のベースを形成するベース（２）のアッセンブリにより形成される細長い構造（１）を有する、電気ケーブルをルーティングし分配するように意図された、ケーブルルーティング装置に関する。サイドポスト（３）およびベース（２）は、複合材料および／または強化プラスチック材料から実質的に作製され、少なくとも一方のサイドポスト（３）は、少なくとも１つのヒンジ（４）により、回転軸（３０）の周りにベース（２）に枢動可能に装着される。本発明はまた、回転力によりサイドポストをベース（２）に対して垂直にロックすることが可能な、スナップ結合手段およびアバットメント手段を含む。
2010530728.tif 000002
【特許請求の範囲】
【請求項１】
ケーブルをルーティングするための装置、より詳細には、Ｕ字形のアームを形成する２つのサイドポスト（３）およびＵ字形の底面を形成するベース（２）のアッセンブリから成るＵ字形断面を持つ細長い形状（１）を有する、電気ケーブルをルーティングし、分配するように意図された、ケーブルをルーティングするための装置であって、
前記サイドポスト（３）および前記ベース（２）が複合材料および／または強化プラスチック材料から実質的に作製され、
少なくとも１つのサイドポスト（３）が、少なくとも１つのヒンジ（４）により回転軸（３０）の周りに、前記ベース（２）に枢動可能に装着されると同時に接合され、
前記装置が、その回転動作のもとで、前記サイドポストを前記ベース（２）に対して垂直にロックすることができる、スナップ結合手段（３５、２６、６３、７）およびアバットメント手段（２２、２３、３８、２９、２７）を備えることを特徴とする、装置。
【請求項２】
前記枢動するサイドポスト（３）の回転に対する障害物を形成し、前記枢動するサイドポスト（３）が前記ベース（２）に対して９０°を超える角度で回転することを防ぐ、少なくとも１つのブロック用アバットメント（２２、３８、２９）と、
スナップ結合により係合し、前記サイドポスト（３）が開く方に回転することを防ぐ少なくとも１つの戻り防止アバットメント（２３、２６、２７、７０）と、
を備えることを特徴とする、請求項１に記載のケーブルをルーティングするための装置。
【請求項３】
前記ブロック用アバットメントがまた、スナップ結合により係合されることを特徴とする、請求項２に記載のケーブルをルーティングするための装置。
【請求項４】
前記スナップ結合手段が、それぞれがスナップ結合によりブロック用アバットメントおよび戻り防止アバットメントの両方と協働するように意図された突起（７）に存することを特徴とする、請求項３に記載のケーブルをルーティングするための装置。
【請求項５】
前記スナップ結合手段が、前記枢動するサイドポスト（３）が徐々に回転し、前記枢動するサイドポスト（３）を回転インデックス毎にある角度位置に、開く方にブロックするように、互いの上にスナップ嵌合するように意図されたノッチ（２６、３７）に存することを特徴とする、請求項２に記載のケーブルをルーティングするための装置。
【請求項６】
前記スナップ結合手段が少なくとも１つの柔軟に曲がるタブ（３５）に存し、それにより、前記枢動するサイドポスト（３）の回転中に、前記枢動するサイドポスト（３）が前記ベース（２）と約９０°の角度を成すときに、前記柔軟に曲がるタブ（３５）が、破壊されることなく弾性変形を受け、戻り防止アバットメント（２３）の面に対してその自由縁部をスナップ結合することにより、係合することを特徴とする、請求項２に記載のケーブルをルーティングするための装置。
【請求項７】
前記タブ（３５）が、圧縮状態または引っ張り状態で動作するように、その自由縁部に対して相対的に配置されることを特徴とする、請求項６に記載のケーブルをルーティングするための装置。
【請求項８】
前記ベース（２）と前記枢動するサイドポスト（３）との間の接合部が、それぞれが前記ヒンジ（４）のアッセンブリと共通であるかまたは共通でない前記回転軸（３０）周りの接合点を形成する多数のヒンジ（４）により達成されることを特徴とする、請求項１から７のいずれかに記載のケーブルをルーティングするための装置。
【請求項９】
ヒンジ（４）が、前記ベース（２）の横延長部から成り、
該横延長部は、前記枢動するサイドポスト（３）の回転を可能にしながら、前記回転軸（３０）の周りに共に接合された、前記サイドポスト（３）に形成された窓部中に取り囲まれることを特徴とする、請求項８に記載のケーブルをルーティングするための装置。
【請求項１０】
横延長部（２０’）が、ケーブルルート（１）を組み立てる間、前記回転軸（３０）の上に係合されるように意図されたフック形状を有することを特徴とする、請求項９に記載のケーブルをルーティングするための装置。
【請求項１１】
サイドポスト（３）が、接続部品（３２）により互いに堅固に接続された少なくとも２本のロッド（３１）のアッセンブリで作製されることを特徴とする、請求項１から１０のいずれかに記載のケーブルをルーティングするための装置。
【請求項１２】
前記接続部品（３２）が、前記ロッド（３１）上にオーバーモールドされるか、または前記ロッド（３１）の周りに溶接されることを特徴とする、請求項１１に記載のケーブルをルーティングするための装置。
【請求項１３】
前記ロッド（３１）が、異形押し出しにより、長繊維で強化された複合材料から作製され、一方、前記接続部品（３２）が、成形により、短繊維で強化されるかまたは強化されないプラスチック材料から作製されることを特徴とする、請求項１１または１２に記載ケーブルをルーティングするための装置。
【請求項１４】
前記枢動するサイドポスト（３）の前記２本のロッド（３１）のうちの１本が、前記回転軸（３０）を形成することを特徴とする、請求項１１から１３のいずれかに記載のケーブルをルーティングするための装置。
【請求項１５】
各接続部品（３２）が、逆Ｕ字形のケージ（５）により延長される窓部（３４）を含み、
前記ケージ（５）の前記アーム（５０）が裾広がりであり、前記横延長部を留め、それによって、前記横延長部を前記ケージ（５）の中に係合する段階が遊びを持って成し遂げられ、また、アーム（５０）と前記横延長部の間の締め付けが、前記枢動するサイドポスト（３）が徐々に回転するにつれて増加し、前記枢動するサイドポスト（３）の角度が、前記枢動するポスト（３）を前記ベース（２）と垂直にブロックするスナップ結合角度に対応する、前記ベース（２）に対して９０°に近いときに完全になり遊びがなくなることを特徴とする、請求項１０から１４のいずれかに記載のケーブルをルーティングするための装置。
【請求項１６】
前記ベース（２）が、穴なしか穴あきのいずれかの、一体成形で作製されたアッセンブリであることを特徴とする、請求項１から１５のいずれかに記載のケーブルをルーティングするための装置。
【請求項１７】
前記ベース（２）が前記ケーブルルート（１）の長手方向軸（１’）に対して垂直な一連のバー（２０）から成り、
前記ベース（２）の前記横延長部（２０’）が前記バー（２０）の前記自由端で形成されることを特徴とする、請求項９から１５のいずれかに記載のケーブルをルーティングするための装置。
【請求項１８】
前記バー（２０）が圧縮成型または射出成形による一体成形で作製されることを特徴とする、請求項１７に記載のケーブルをルーティングするための装置。
【請求項１９】
前記バー（２０）が、前記ケーブルを取り付けるように意図されたオリフィスを含むことを特徴とする、請求項１８に記載のケーブルをルーティングするための装置。
【請求項２０】
前記バー（２０）が、ボディ形成部および前記横延長部を形成する少なくとも１つの追加の端部を組み立てることにより、作製されることを特徴とする、請求項１７に記載のケーブルをルーティングするための装置。
【請求項２１】
前記バー（２０）は、横安定器を含み、
前記横安定器は、前記枢動するサイドポストの表面に支承し、前記バー（２０）が前記ケーブルルートの前記長手方向軸に対して垂直にブロックされることを可能にし、使用中に前記ケーブルルートの長手方向の任意の変形を防止することを特徴とする、請求項１７から２０のいずれかに記載のケーブルをルーティングするための装置。
【請求項２２】
前記バー（２０）がオメガ字形断面を有し、
前記オメガ字形断面の２個の側脚部（２１）が前記バー（２０）の前記端（２０’）で、前記サイドポスト（３）の表面と接触するようになることを意図された支持面を形成することを特徴とする、請求項２１に記載のケーブルをルーティングするための装置。
【発明の詳細な説明】
【技術分野】
【０００１】
本発明の対象はケーブルをルーティングする装置であり、より詳細には電気ケーブルをルーティングし、分配するように意図された装置である。
【背景技術】
【０００２】
現在のケーブルルーティングは、Ｕ字形断面を有する細長い構造を含み、その構造の内部にケーブルが敷かれ、また任意選択で取り付けられ、１００ｋｇ／ｍ程度の重さのケーブルを３〜４メートル程度の支持間隔で支持するように意図された、一般に「ケーブルラダー」と呼ばれる、ベースおよびサイドポストを形成する金属構成部品のアッセンブリから作製されるか、あるいは３０ｋｇ／ｍ程度の重さのケーブルを１〜２メートル程度の支持間隔で支持するように意図された、一般に「ケーブルルート」と呼ばれる、穴なしもしくは穴あきの金属板のもしくは溶接されたワイヤメッシュの一体構造として作製される。
【０００３】
これらの構造は、端と端を接続され、概して水平に敷設され、過度に撓むことなくケーブルの重量を支持するために十分な剛性を有するいくつかの構成的要素から成る。
【０００４】
しかしながら、これらのケーブルルーティング装置は、ケーブルルーティング装置を保管する間およびケーブルルーティング装置を敷設する場所まで輸送する間、かなりの体積を占め、それにより高い物流費が発生する。
【０００５】
これらの欠点の改善措置を見出すために、金属ケーブルをルーティングするためのワイヤメッシュ装置が知られており、その装置のサイドポストは、構造のベースに接合され、その構造を互いの上に積み重ねて保管するために平面形またはＬ字形の形状に、あるいは現場で敷設するためにＵ字形の形状すなわちベースに対して垂直のポストを有する形に、ケーブルルートを据えることができる。
【０００６】
しかしながら、現場でワイヤメッシュ装置を敷設するために、ケーブルルートをＵ字形の形状に接合された状態に維持するために、サイドポストとベースの間のワイヤメッシュの各メッシュにおいて、垂直のブロック用部品または環状のブロック用部品を、手動で据え付ける、または作動させることが必要であり、そのことが組み立て時に作業を退屈にさせ、かつコスト高にさせる。
【０００７】
さらに、金属のケーブルルーティング装置は大きな重量を有し、切断後に、ケーブルを損なうか、または敷設業者を傷つける鋭い縁部を有する可能性がある。その上、金属のケーブルルーティング装置は導電性であり、そのことが、ケーブルルーティング装置の各構成部品がアースに接続されることを強制し、それにより敷設コストを著しく増加させる。
【発明の概要】
【発明が解決しようとする課題】
【０００８】
本発明の目的は、その作製のためまたは保管および輸送のために有利な平面形またはＬ字形の形状から現場で敷設するためのＵ字形の形状に、ケーブルルーティング装置を容易に、且つ迅速に変形することが可能であるケーブルルーティング装置を提案することにより、これらの欠点の改善措置を見出すことである。
【課題を解決するための手段】
【０００９】
本発明によるケーブルルーティング装置は、より詳細には、電気ケーブルをルーティングし、分配することを意図され、Ｕ字形のアームを形成する２本のサイドポストおよびＵ字形の底面を形成するベースのアッセンブリから成る、Ｕ字形断面を有する細長い形状を有し、サイドポストおよびベースが複合材料および／または強化プラスチック材料から実質的に作製されること、少なくとも１つのサイドポストがベースに、少なくとも１つのヒンジにより回転軸の周りに枢動可能に装着されると同時に接合されること、およびケーブルルーティング装置が、サイドポストを、その回転動作のもとで前記ベースに対して垂直にロックすることが可能な、スナップ結合手段およびアバットメント手段を含むことを本質的に特徴とする。
【００１０】
本発明によれば、ケーブルルーティング装置は、枢動するサイドポストの回転に対する障害物を形成し、枢動するサイドポストがベースに対して９０°の角度を超えて回転することを防ぐ、少なくとも１つのブロック用アバットメントと、スナップ結合により係合し、開く方へのサイドポストの回転を防ぐ少なくとも１つの戻り防止アバットメントと、を含む。
【００１１】
さらに、本発明によれば、ブロック用アバットメントはまた、スナップ結合により係合され得る。この場合、およびスナップ結合手段の第１の実施形態において、スナップ結合手段は、それぞれがスナップ結合によりブロック用アバットメントと戻り防止アバットメントの両方と協働するように意図された突起に存する。
【００１２】
スナップ結合手段の第２の実施形態において、スナップ結合手段は、枢動するサイドポストが徐々に回転し、前記枢動するサイドポストを、ある角度位置で、各回転インデックス毎に、開く方にすなわちケーブルルートの外側に向かってブロックするように、互いの上でスナップ嵌合するように意図されたノッチに存する。
【００１３】
スナップ結合手段の第３の実施形態において、スナップ結合手段は、少なくとも１つの柔軟に曲がるタブに存し、枢動するサイドポストが回転する間、枢動するサイドポストがベースに対して約９０°の角度を成すときに、前記タブが、破壊されることなく弾性変形を受け、その自由縁部が戻り防止アバットメントの面に対してスナップ結合することによって係合する。
【００１４】
タブは、圧縮状態または引っ張り状態で動作するように、自由縁部に対して相対的に配置され得る。
【００１５】
さらに、本発明によれば、ベースと枢動するサイドポストとの間の接合は、それぞれが前記ヒンジのアッセンブリに共通かまたは共通でない回転軸の周りに接合点を形成する、多数のヒンジにより達成されうる。
【００１６】
ヒンジは、サイドポストの中に作製された窓部の中に取り囲まれるベースの横延長部から成り、枢動するサイドポストが回転できるように、回転軸の周りに共に接合される、
【００１７】
横延長部は、ケーブルルートを組み立てる間、回転軸の上に係合されるように意図されたフック形状を有することができる。
【００１８】
サイドポストの第１の実施形態において、サイドポストは異形押し出しによる一体成形で作製される。
【００１９】
サイドポストの第２の実施形態において、サイドポストは、接続部品により互いに堅固に接続された少なくとも２本のロッドのアッセンブリから作製され、接続部品はロッドの上にオーバーモールドされてよく、またはロッドの周りに溶接されてもよい。
【００２０】
ロッドは、異形押し出しにより長繊維で強化された複合材料から作製されることが好ましく、一方、接続部品は、成形により短繊維で強化されるかまたは強化されないプラスチック材料から作製されることが好ましい。
【００２１】
有利には、枢動するサイドポストの２本のロッドのうちの１本は、枢動するサイドポストの回転軸を形成する。
【００２２】
各接続部品が逆Ｕ字形のケージにより延長される窓部を含むことができ、ケージの前記アームが裾広がりであり、横延長部を留め、それによって、横延長部をケージの中に係合する段階が遊びを持って成し遂げられ、また、アームと横延長部の間の締め付けが、枢動するサイドポストが徐々に回転するにつれて増加し、枢動するサイドポストの角度が、枢動するポストをベースに対して垂直にブロックするスナップ結合角度に対応する、前記ベースに対して９０°に近いときに完全になり遊びがなくなる。
【００２３】
ベースの第１の実施形態において、ベースは、穴なしまたは穴あきのいずれかの一体成形で作製されたアッセンブリである。
【００２４】
ベースの第２の実施形態において、ベースは、ケーブルルートの長手方向軸に対して垂直な一連のバーから成り、ベースの横延長部は、前記バーの自由端により形成される。
【００２５】
バーは、圧縮成型または射出成形による一体成形で、あるいはボディ形成部と横延長部を形成する少なくとも１つの追加の端部とを組み立てることにより、作製され得る。バーは、有利には、ケーブルを取り付けるように意図されたオリフィスを含む。
【００２６】
バーは、バーがケーブルルートの長手方向軸に垂直にブロックされ、ケーブルルートが使用中に長手方向に変形するのを防ぐことができるように、枢動するサイドポストの表面に載る横安定器を含むことができる。
【００２７】
バーは、オメガ字形断面を有していてもよく、そのオメガ字形断面の２つの側脚部は、有利には、バーの端において、サイドポストの表面と接触するようになることを意図された支持面を形成することができる。
【００２８】
本発明の利点および特性は、以下の、その非限定的な実施形態を例示する添付の図面に関連した説明から、より明確になるであろう。
【図面の簡単な説明】
【００２９】
【図１】本発明によるアッセンブリによるサイドポストの一実施形態におけるケーブルルートの斜視図である。
【図２】図１の実施形態における本発明によるケーブルルートの、組み立て状態における斜視図である。
【図３】本発明によるケーブルルーティングのベースを形成するバーの斜視図である。
【図４】図１で示す本発明によるケーブルルーティングの断面図である。
【図５】そのフック形状の自由端にノッチが施された、本発明によるケーブルルートの上下を逆にした姿勢におけるバーの斜視図である。
【図６】図５で説明するバーを施された、本発明によるケーブルルートの断面図である。
【図７】一体成形で作製されたサイドポストの一実施形態における、本発明によるケーブルルートのサイドポストの斜視図である。
【図８】図７で示す、本発明によるケーブルルートの断面図である。
【図９】図８で説明するケーブルルートの、組み立て状態における斜視図である。
【図１０】図７で説明するケーブルルートの、サイドポストの長手方向の縁部の１つの一代替の斜視図である。
【図１１】自由端のそれぞれにおける、スナップ結合用突起が施されたバーの斜視図である。
【発明を実施するための形態】
【００３０】
図１および図２を参照すると、本発明によるケーブルルーティング装置は、Ｕ字形断面の細長い形状を有する構造１を有し、複合材料または強化プラスチック材料で実質的に作製されたベース２および２つのサイドポスト３を備えることが分かる。
【００３１】
サイドポスト３は、ケーブルルートの長手方向軸１’に平行な回転軸３０の周りに枢動可能に装着され、ベース２とサイドポスト３の間に接合線を確定する。ベース２に対するサイドポスト３の枢動を確実にするために、ヒンジ４がベース２の側壁に沿って堅固に固定され、サイドポスト３とベース２の間の多数の接合点を形成する。
【００３２】
ベース２は、ケーブルルート１の長手方向軸１’および回転軸３０に対して垂直に、一定間隔をあけて配置された一連のバー２０から成り、バー２０は、それらの自由端２０’によりサイドポスト３に堅固に固定されることが分かる。
【００３３】
サイドポスト３は、好ましくは複合材料で作製され、２本の直線状のロッド３１で形成される平面内に一定間隔をあけて配置される、全体的に矩形の形状を有する接続部品３２により互いに接続される２本の平行なロッド３１から成る。接続部品３２は、強化プラスチック材料で作製され、直線状のロッド３１をそれぞれ受けるように意図された横オリフィス３３をその端のそれぞれにおいて含み、ロッド３１のうちの１本がベース２に対するサイドポスト３の回転軸３０を成す。
【００３４】
また、各接続部品３２は、サイドポスト３の回転軸３０を形成するロッド３１が横切るように意図された横オリフィスにおいて、ベース２とサイドポスト３の間の接合を確保するために、バー２０の対応する自由端２０’がロッド３１の周りに窓部３４の中に取り囲まれうる窓部３４を含むことが分かる。
【００３５】
接続部品３２が、有利には、材料を節約すると同時に、分配箱などの電気的付属品を取り付けるための好ましい取り付け領域を提供するように意図された凹所のある形状を有することに留意されるであろう。さらに、接続部品３２は、ケーブルルーティングの長手方向の幅を有し、ロッド３１の間で大きく変形しない剛性接続を確保するのに十分であり、２つの連続した接続部品３２の間の距離を縮小する効果を示し、それにより、ケーブルルートが負荷のもとにあるときに、ロッド３１が受ける変形を制限する効果を示す。
【００３６】
次に、図３および図４を参照すると、バー２０は、２つのフック形状の自由端２０’を含み、該フック形状の自由端２０’は、図２でも見られるように、接続部品３２の窓部３４を横断するロッド部分３１により図示された回転軸３０の周りに、対応する接続部品３２の窓部３４の中に組み立て中に係合されるように意図されることが分かる。フック２０’の閉じていない空間２１’は、組み立て中に、サイドポスト３に対するバー２０の固定を強化するために、窓部３４を横断して回転軸３０の一区域の上にスナップ結合によって係合できるように確定される。
【００３７】
自由端２０’は、特に、電気ケーブルが置かれ、引っ張られるときの外部応力の影響のもとで、バー２０の任意の横方向への傾斜を防ぎ、それにより敷設されたケーブルルート１の長手方向の変形を避ける、窓部３４の両側の環状溝３４’の中で接続部品３２を支える能力を有する２個の側部安定器２１を含む。
【００３８】
また、バー２０の自由端２０’の上部外面は、内部アバットメント２２および外部アバットメント２３の２つのアバットメントを含み、外部アバットメント２３は、バー２０の長手方向軸およびベース２を含む平面に垂直な垂直壁２３’から成り、内部アバットメント２２は、バー２０の長手方向軸に平行な水平面２４、および水平面２４のアバットメント機能を強化する垂直面２４’から成ることが分かる。
【００３９】
内部アバットメント２２は、サイドポスト３の回転の障害物であり、接続部品３２の支持面３６’が内部アバットメント２２の水平面２４と接するときに、サイドポスト３がベース２に対して９０°の角度を超えて回転するのを防ぐ。
【００４０】
外部アバットメント２３は、サイドポスト３がベース２の方に枢動してベース２に対して約９０°の角度位置にあるときに、ベース２に対して開く方への、すなわちＡで示すようにケーブルルートの外に向かうサイドポストの回転を防ぐ接続部品３２の支持面３７を、スナップ結合により受けるように意図された戻り防止アバットメントである。
【００４１】
支持面３７は、撓みにおける弾力性を有し、座屈に耐え、接続部品３２の窓部３４の中に、接続部品３２の平面にほぼ直交して作製された、タブ３５の端面により形成される。タブ３５は、スナップ結合で、外部アバットメント２３上に係合するように意図される。
【００４２】
また、接続部品３２の中に作製された窓部３４は、逆Ｕ字形のケージ５で延び、ケージ５のアーム５０は裾広がりであり、それら自体もまたバー２０の自由端２０’から同一傾斜で裾広がりとなる側壁２５を留め、それにより、バーの端をケージに入れる係合段階は遊びを有して成し遂げられ、前記アーム５０と側壁２５との間の締め付けは、サイドポスト３の回転に応じて漸進的であり、サイドポスト３の角度がベース２に対して９０°に近づき、タブ３５の上にスナップ嵌合したときに完全になって遊びがなくなり、それによりスナップ結合後はバー２０の横方向における移動は抑制されることが分かる。
【００４３】
タブ３５は、その端の１つにおいて、ケージ５の屋根５２を形成するＵ字のベースの前縁部に固定され、前縁部５１の外面は、サイドポスト３とベース２の間の９０°の角度を超える回転をブロックすることを強化するために、対応するバー２０の内部アバットメント２２の垂直面２４’と接触するようになることを意図されたアバットメント面を形成する。
【００４４】
それらの形状および位置決めを有する異なる選択された材料、すなわち複合材料および強化プラスチック材料の特性のため、力学的見地からサイドポスト３は、サイドポスト３を構成する構成部品の慣性の合計よりもずっと大きな慣性を有する、垂直方向の曲げに剛性を有する凹所のある梁を、こうして形成する。しかしながら、この方法で作製されたポストは、ケーブルルートが、現場での敷設応力に対して、わずかな変形により順応可能な、ある程度の側方可撓性を保持する。さらに、異なる製造方法によるこの材料の組合せにより、スナップ結合により変形することが可能な可撓性領域３５と、引き抜き成形された複合材料から作製され、負荷のもとでケーブルルートが最大の機械的応力を受ける場所に配置された直線状のロッド３１による、全体的に保持されるサイドポスト３の大きな剛性との両方を得ることができる。
【００４５】
図５および図６を参照すると、バー２０が示され、そのバー２０のフック形状の自由端２０’が、丸いロッド３１の上に係合され、円形ラックを形成するようにロッド３１の外面上に作製されたかみ合いノッチ３６と協働するように意図された一連のノッチ２６をそれらの内面に含み、円形ラックのノッチ２６および３６は、サイドポスト３が構造１の内側に向かってＢ方向に徐々に回転するにつれて、互いの中にスナップ嵌合し、枢動するサイドポスト３とベース２の間の角度が約９０°に等しくなるまで、回転インデックス毎に前記サイドポスト３を所与の角度位置にブロックする。また、接続部品３２の中に作製された窓部３４は、接続部品３２と垂直に延び、また、サイドポスト３がベース２に対して９０°の角度に達するときにベース２の外面を支え、サイドポスト３がこの角度を超えて構造１の内側に向かって枢動するのを防ぎながら、ノッチ２６および３６が、サイドポスト３が構造１の外側に向かって反対方向に枢動するのを防ぐように意図された細片３８を、その上縁部に含むことが分かる。
【００４６】
図７、図８および図９は、それぞれが、構造１のベース２を形成するバー２０のフック形状の自由端２０’を受けるように意図された窓部６０を含む、細長い矩形パネルのように見える、異形押し出しによる一体成形で作製された２つのサイドポスト６を備える構造１を示す。
【００４７】
各サイドポスト６の長手方向の縁部の１つの６１は円筒形であり、サイドポスト６がその回りを枢動する回転軸３０を形成する。サイドポスト６は、窓部６０の側部の１つの境界を画し、図９に示すように、サイドポスト６をベース２に固定するために、かつベース２に対して回転軸３０の周りにサイドポスト６が枢動できるように、ベース２のバー２０の自由端２０’が、窓部６０の中に囲まれて、その側部の上に係合される。
【００４８】
サイドポスト６をベース２と垂直の角度位置に保つことは、サイドポスト６がベース２に対して約９０°の角度を成すときに、その長手方向の自由縁部６４により、バー２０の自由端２０’の外面を取り巻くブロック２８の中に作製された戻り防止アバットメント２７の上にスナップ嵌合され、サイドポスト６が構造１の外に向かって開く方に枢動することを防ぐ、サイドポスト６の内面に垂直にかつ長手方向に固定されたタブ６３により達成される。
【００４９】
ブロック２８は、壁２９によりバー２０に垂直に形成され、サイドポスト６がベース２に対して９０°の角度を成すときにサイドポスト６の内壁がもたれかかり、サイドポスト６がこの角度を超えて構造１の内側に向かって閉まる方に枢動することを防ぐ、ブロック用アバットメントをさらに含む。
【００５０】
また、代替実施形態の１つにおけるバー２０は、それらの自由端２０’において安定器２１を一体化するオメガ字形断面を有し、その安定器２１は、構造の安定性を強化するために安定器２１が載るサイドポスト６の長手方向の縁部６１の円形に、安定器２１がはまることができる円形アーチ形状を有することが分かる。
【００５１】
図１０は、一体に作製されたサイドポスト６の一代替を示し、回転軸を形成するサイドポスト６の長手方向の縁部の１つの６２は、ケーブルルートの構造１の内部に半円形を成す。
【００５２】
次に図１１を参照すると、図７に説明するサイドポスト６ならびにそのアバットメントおよびスナップ結合手段の一代替において、バー２０の自由端２０’は、ブロック２０がバー２０に対して垂直な壁２９からなる状態で載置され、且つ突起７が自由端の下面に傾斜縁部７０とを含む状態で設けられ、サイドポスト６の壁内に形成された、図示しないスロットの中にスナップ結合により係合されるように意図され、それによって、スロットの縁部が縁部７０と垂直壁２９の間に挿入され、ベースに対して垂直な位置にサイドポスト６をブロックする効果を有するであろうことが理解される。
【符号の説明】
【００５３】
１  構造、細長い形状、ケーブルルート
１’  長手方向軸
２  ベース
３、６  サイドポスト
４  ヒンジ
５  ケージ
７  突起、スナップ結合手段
２０  バー
２０’  自由端、フック
２１  安定器
２１’  閉じていない空間
２２  内部アバットメント、アバットメント手段
２３  外部アバットメント、アバットメント手段
２３’  垂直壁
２４  水平面
２４’  垂直面
２５  側壁
２６  ノッチ、スナップ結合手段
２７  戻り防止アバットメント、アバットメント手段
２８  ブロック
２９  壁、垂直壁、アバットメント手段
３０  回転軸
３１  ロッド
３２  接続部品
３３  横オリフィス
３４、６０  窓部
３４’  環状溝
３５  タブ、可撓性領域、スナップ結合手段
３６  かみ合いノッチ
３６’、３７  支持面
３８  細片、アバットメント手段
５０  アーム
５１  前縁
５２  屋根
６１、６２、６４  長手方向の縁部
６３  タブ、スナップ結合手段
７０  傾斜縁部、縁部
Ａ、Ｂ  方向
【図１】
2010530728.tif 000003
【図２】
2010530728.tif 000004
【図３】
2010530728.tif 000005
【図４】
2010530728.tif 000006
【図５】
2010530728.tif 000007
【図６】
2010530728.tif 000008
【図７】
2010530728.tif 000009
【図８】
2010530728.tif 000010
【図９】
2010530728.tif 000011
【図１０】
2010530728.tif 000012
【図１１】
2010530728.tif 000013
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
ケーブルをルーティングするための装置、より詳細には、Ｕ字形のアームを形成する２つのサイドポスト（３）およびＵ字形の底面を形成するベース（２）のアッセンブリから成るＵ字形断面を持つ細長い形状（１）を有する、電気ケーブルをルーティングし、分配するように意図された、ケーブルをルーティングするための装置であって、
前記サイドポスト（３）および前記ベース（２）が複合材料および／または強化プラスチック材料から実質的に作製され、
少なくとも１つのサイドポスト（３）が、少なくとも１つのヒンジ（４）により回転軸（３０）の周りに、前記ベース（２）に枢動可能に装着されると同時に接合され、
前記装置が、その回転動作のもとで、前記サイドポストを前記ベース（２）に対して垂直にロックすることができる、スナップ結合手段（３５、２６、６３、７）およびアバットメント手段（２２、２３、３８、２９、２７）を備えることを特徴とする、装置。
【請求項２】
前記枢動するサイドポスト（３）の回転に対する障害物を形成し、前記枢動するサイドポスト（３）が前記ベース（２）に対して９０°を超える角度で回転することを防ぐ、少なくとも１つのブロック用アバットメント（２２、３８、２９）と、
スナップ結合により係合し、前記サイドポスト（３）が開く方に回転することを防ぐ少なくとも１つの戻り防止アバットメント（２３、２６、２７、７０）と、
を備えることを特徴とする、請求項１に記載のケーブルをルーティングするための装置。
【請求項３】
前記スナップ結合手段が、前記枢動するサイドポスト（３）が徐々に回転し、前記枢動するサイドポスト（３）を回転インデックス毎にある角度位置に、開く方にブロックするように、互いの上にスナップ嵌合するように意図されたノッチ（２６、３６）に存することを特徴とする、請求項２に記載のケーブルをルーティングするための装置。
【請求項４】
前記スナップ結合手段が少なくとも１つの柔軟に曲がるタブ（３５、６３）に存し、それにより、前記枢動するサイドポスト（３）の回転中に、前記枢動するサイドポスト（３）が前記ベース（２）と約９０°の角度を成すときに、前記柔軟に曲がるタブ（３５、６３）が、破壊されることなく弾性変形を受け、戻り防止アバットメント（２３）の面に対してその自由縁部をスナップ結合することにより、係合することを特徴とする、請求項２に記載のケーブルをルーティングするための装置。
【請求項５】
前記ベース（２）と前記枢動するサイドポスト（３）との間の接合部が、それぞれが前記ヒンジ（４）のアッセンブリと共通であるかまたは共通でない前記回転軸（３０）周りの接合点を形成する多数のヒンジ（４）により達成されることを特徴とする、請求項１から４のいずれかに記載のケーブルをルーティングするための装置。
【請求項６】
ヒンジ（４）が、前記ベース（２）の横延長部から成り、
該横延長部は、前記枢動するサイドポスト（３）の回転を可能にしながら、前記回転軸（３０）の周りに共に接合された、前記サイドポスト（３）に形成された窓部中に取り囲まれることを特徴とする、請求項５に記載のケーブルをルーティングするための装置。
【請求項７】
横延長部（２０’）が、ケーブルルート（１）を組み立てる間、前記回転軸（３０）の上に係合されるように意図されたフック形状を有することを特徴とする、請求項６に記載のケーブルをルーティングするための装置。
【請求項８】
サイドポスト（３）が、接続部品（３２）により互いに堅固に接続された少なくとも２本のロッド（３１）のアッセンブリで作製されることを特徴とする、請求項１から７のいずれかに記載のケーブルをルーティングするための装置。
【請求項９】
前記枢動するサイドポスト（３）の前記２本のロッド（３１）のうちの１本が、前記回転軸（３０）を形成することを特徴とする、請求項８に記載のケーブルをルーティングするための装置。
【請求項１０】
各接続部品（３２）が、逆Ｕ字形のケージ（５）により延長される窓部（３４）を含み、
前記ケージ（５）の前記アーム（５０）が裾広がりであり、前記横延長部を留め、それによって、前記横延長部を前記ケージ（５）の中に係合する段階が遊びを持って成し遂げられ、また、アーム（５０）と前記横延長部の間の締め付けが、前記枢動するサイドポスト（３）が徐々に回転するにつれて増加し、前記枢動するサイドポスト（３）の角度が、前記枢動するポスト（３）を前記ベース（２）と垂直にブロックするスナップ結合角度に対応する、前記ベース（２）に対して９０°に近いときに完全になり遊びがなくなることを特徴とする、請求項７から９のいずれかに記載のケーブルをルーティングするための装置。
【請求項１１】
前記ベース（２）が、穴なしか穴あきのいずれかの、一体成形で作製されたアッセンブリであることを特徴とする、請求項１から１０のいずれかに記載のケーブルをルーティングするための装置。
【請求項１２】
前記ベース（２）が前記ケーブルルート（１）の長手方向軸（１’）に対して垂直な一連のバー（２０）から成り、
前記ベース（２）の前記横延長部（２０’）が前記バー（２０）の前記自由端で形成されることを特徴とする、請求項６から１０のいずれかに記載のケーブルをルーティングするための装置。
【請求項１３】
前記バー（２０）が圧縮成型または射出成形による一体成形で作製されることを特徴とする、請求項１２に記載のケーブルをルーティングするための装置。
【請求項１４】
前記バー（２０）が、ボディ形成部および前記横延長部を形成する少なくとも１つの追加の端部を組み立てることにより、作製されることを特徴とする、請求項１２に記載のケーブルをルーティングするための装置。
【請求項１５】
前記バー（２０）は、横安定器を含み、
前記横安定器は、前記枢動するサイドポストの表面に支承し、前記バー（２０）が前記ケーブルルートの前記長手方向軸に対して垂直にブロックされることを可能にし、使用中に前記ケーブルルートの長手方向の任意の変形を防止することを特徴とする、請求項１２から１４のいずれかに記載のケーブルをルーティングするための装置。
【国際調査報告】
2010530728.tif 000014
2010530728.tif 000015
2010530728.tif 000016
2010530728.tif 000017